(57)【要約】【課題】カメラの撮像画像に含まれる多くの情報の中からユーザーが所望する情報を絞り込んで表示する。【解決手段】情報処理装置１は、カメラ３０と、タッチパネル式のディスプレイ４０と、カメラ３０による撮像画像に写ったテーブルオブジェクトを認識するオブジェクト認識部１０１と、テーブルオブジェクトに含まれる情報を予め定められた条件で絞り込む情報絞り込み部１０２と、カメラ３０による撮像画像に写ったテーブルオブジェクトにおいて情報絞り込み部１０２により絞り込まれた情報を含むテーブル部分を拡大してディスプレイに表示するオブジェクト拡大表示部１０４とを備える。【選択図】図２
2019020841.tif 000002
【特許請求の範囲】
【請求項１】
カメラと、
タッチパネル式のディスプレイと、
前記カメラによる撮像画像に写ったテーブルオブジェクトを認識するオブジェクト認識部と、
前記テーブルオブジェクトに含まれる情報を検出し、当該情報を予め定められた条件で絞り込む情報絞り込み部と、
前記カメラによる撮像画像に写ったテーブルオブジェクトにおいて前記情報絞り込み部により絞り込まれた情報を含むテーブル部分を拡大して前記ディスプレイに表示するオブジェクト拡大表示部と、を備えた情報処理装置。
【請求項２】
前記オブジェクト認識部により前記テーブルオブジェクトが認識されたとき、前記テーブルオブジェクトに含まれる情報について複数の絞り込み条件を表す複数のボタンを前記ディスプレイに表示する絞り込み条件表示部と、
前記情報絞り込み部は、前記絞り込み条件表示部により前記ディスプレイに表示された前記複数のボタンのうちタッチ操作されたボタンに対応する絞り込み条件を前記予め定められた条件として、前記テーブルオブジェクトに含まれる情報に対して前記絞り込みを行う請求項１に記載の情報処理装置。
【請求項３】
前記情報絞り込み部は、前記ディスプレイに拡大表示された前記テーブル部分に含まれる任意の情報を示す画像部分がタッチ操作されたとき、当該タッチ操作された画像部分が示す情報に対応する絞り込み条件で前記テーブルオブジェクトをさらに絞り込み、
前記オブジェクト拡大表示部は、前記カメラによる撮像画像に写ったテーブルオブジェクトにおいて前記情報絞り込み部によりさらに絞り込まれた情報を含むテーブル部分を拡大して表示する請求項１又は請求項２に記載の情報処理装置。
【請求項４】
前記オブジェクト拡大表示部は、前記テーブル部分に前記情報絞り込み部により絞り込まれた情報と、当該絞り込まれた情報ではない情報とが混在する場合、当該絞り込まれた情報ではない情報を背景色と同化させて表示する請求項１乃至請求項３のいずれかに記載の情報処理装置。
【請求項５】
カメラによる撮像画像に写ったテーブルオブジェクトを認識するオブジェクト認識部、
前記テーブルオブジェクトに含まれる情報を検出し、当該情報を予め定められた条件で絞り込む情報絞り込み部、及び
前記カメラによる撮像画像に写ったテーブルオブジェクトにおいて前記情報絞り込み部により絞り込まれた情報を含むテーブル部分を拡大して前記ディスプレイに表示するオブジェクト拡大表示部、としてコンピューターを機能させる情報処理プログラム。
【請求項６】
前記オブジェクト認識部により前記テーブルオブジェクトが認識されたとき、前記テーブルオブジェクトに含まれる情報について複数の絞り込み条件を表す複数のボタンを前記ディスプレイに表示する絞り込み条件表示部として前記コンピューターを更に機能させ、
前記情報絞り込み部は、前記絞り込み条件表示部により前記ディスプレイに表示された前記複数のボタンのうちタッチ操作されたボタンに対応する絞り込み条件を前記予め定められた条件として、前記テーブルオブジェクトに含まれる情報に対して前記絞り込みを行うように、前記コンピューターを更に機能させる請求項５に記載の情報処理プログラム。
【請求項７】
前記情報絞り込み部は、前記ディスプレイに拡大表示された前記テーブル部分に含まれる任意の情報を示す画像部分がタッチ操作されたとき、当該タッチ操作された画像部分が示す情報に対応する絞り込み条件で前記テーブルオブジェクトをさらに絞り込み、
前記オブジェクト拡大表示部は、前記カメラによる撮像画像に写ったテーブルオブジェクトにおいて前記情報絞り込み部によりさらに絞り込まれた情報を含むテーブル部分を拡大表示するように、前記コンピューターを更に機能させる請求項５又は請求項６に記載の情報処理プログラム。
【請求項８】
前記オブジェクト拡大表示部は、前記テーブル部分に前記情報絞り込み部により絞り込まれた情報と、当該絞り込まれた情報ではない情報とが混在する場合、当該絞り込まれた情報ではない情報を背景色と同化させて表示するように、前記コンピューターを更に機能させる請求項５乃至請求項７のいずれかに記載の情報処理プログラム。
【発明の詳細な説明】
【技術分野】
【０００１】
本発明は、情報処理装置及び情報処理プログラムに関し、特に、カメラの撮像画像に含まれる多くの情報の中からユーザーが所望する情報を絞り込んで表示する技術に関する。
【背景技術】
【０００２】
自動車などの乗り物に運転者の利便性を向上するために運転者に情報を表示するヘッド・アップ・ディスプレイ（ＨＵＤ）が搭載されることがある。例えば、下記特許文献１には、起点位置と目的位置を受信して、該起点位置から該目的位置へ至る経路を生成するように構成され、前記経路の１つ又は複数の部分は、１つ又は複数の道路区間、又は該道路区間の１つ又は複数の交差点に対応する１つ又は複数のナビゲーション命令を含み、１つの乗り物に対応づけられているナビゲーション・コンポーネントと、１つ又は複数のグラフィック要素を、該乗り物を囲む環境の周囲にある１つ又は複数の焦点面上に投影するヘッド・アップ・ディスプレイ・コンポーネントと、１つ又は複数の該グラフィック要素の１つ又は複数の該焦点面と該乗り物との間の距離を、該経路の１つ又は複数の部分に対応する１つ又は複数の道路状況及び、該乗り物の現在位置に基づいて調整する制御コンポーネントと、を含むことを特徴とする、３次元ナビゲーション・システムが開示されている。
【先行技術文献】
【特許文献】
【０００３】
【特許文献１】特開２０１５−６９６５６号公報
【発明の概要】
【発明が解決しようとする課題】
【０００４】
ＨＵＤにより表示される情報は、運転者が運転している間、拡張現実要素として乗り物のフロントガラスに投影されて、運転者の視界に提示される。運転者の視界に拡張現実要素として情報を表示することで、運転者は、提示された情報を運転中に見るために、フロントガラスから目を離す（例えば、センターダッシュボード上の計器表示の方を向く）必要がなくなる。しかしながら、ユーザーの視界に拡張現実要素を多く表示してしまうとユーザーが認識すべきオブジェクトが増えてしまい、ユーザーが本当に必要とする情報を素早く探し出せなくなるおそれがある。
【０００５】
本発明は、上記の事情に鑑みてなされたものであり、カメラの撮像画像に含まれる多くの情報の中からユーザーが所望する情報を絞り込んで表示することを目的とする。
【課題を解決するための手段】
【０００６】
本発明の一局面に係る情報処理装置は、カメラと、タッチパネル式のディスプレイと、前記カメラによる撮像画像に写ったテーブルオブジェクトを認識するオブジェクト認識部と、前記テーブルオブジェクトに含まれる情報を検出し、当該情報を予め定められた条件で絞り込む情報絞り込み部と、前記カメラによる撮像画像に写ったテーブルオブジェクトにおいて前記情報絞り込み部により絞り込まれた情報を含むテーブル部分を拡大して前記ディスプレイに表示するオブジェクト拡大表示部と、を備えたものである。
【０００７】
また、本発明の一局面に係る情報処理プログラムは、カメラによる撮像画像に写ったテーブルオブジェクトを認識するオブジェクト認識部、前記テーブルオブジェクトに含まれる情報を検出し、当該情報を予め定められた条件で絞り込む情報絞り込み部、及び前記カメラによる撮像画像に写ったテーブルオブジェクトにおいて前記情報絞り込み部により絞り込まれた情報を含むテーブル部分を拡大して前記ディスプレイに表示するオブジェクト拡大表示部、としてコンピューターを機能させるものである。
【発明の効果】
【０００８】
上記の本発明によれば、カメラの撮像画像に含まれる多くの情報の中からユーザーが所望する情報を絞り込んで表示することができる。
【図面の簡単な説明】
【０００９】
【図１】本発明の一実施形態に係る情報処理装置の外観図である
【図２】本発明の一実施形態に係る情報処理装置のブロック図である。
【図３】本発明の一実施形態に係る情報処理装置によるテーブルオブジェクト認識・拡大表示処理のフローチャートである。
【図４】テーブルオブジェクトの一例を示す図である。
【図５Ａ】カメラ撮像画像からテーブルオブジェクトが認識されたときの初期画面例を示す図である。
【図５Ｂ】図５Ａの画面例においてあるボタンがタッチ操作されたときのテーブル部分拡大表示の画面例を示す図である。
【図５Ｃ】図５Ａの画面例において別のボタンがタッチ操作されたときのテーブル部分拡大表示の画面例を示す図である。
【図５Ｄ】図５Ｃの画面例においてある情報がタッチ操作されたときのテーブル部分拡大表示の画面例を示す図である。
【図５Ｅ】図５Ｄの画面例においてある情報がタッチ操作されたときのテーブル部分拡大表示の画面例を示す図である。
【発明を実施するための形態】
【００１０】
以下、本発明の一実施形態に係る情報処理装置について図面を参照して説明する。図１は、本発明の一実施形態に係る情報処理装置１の外観図である。情報処理装置１は、縦長矩形の偏平な外観形状を有し、片手で操作することができる大きさの端末である。例えば、情報処理装置１は、一般にスマートフォンと呼ばれる端末である。例えば、情報処理装置１の前面のほぼ全体をカバーするようにタッチパネル式のディスプレイ４０が配置されている。
【００１１】
典型的にはディスプレイ４０の画面の大きさは５〜６インチ前後であるが、情報処理装置１はこれに限定されない。なお、９インチ程度以上の大型画面のディスプレイ４０を有する端末は一般にタブレット端末と呼ばれ、情報処理装置１は当該タブレット端末であってもよい。タブレット端末は片手で操作することが困難であり、一方の手で持って他方の手で操作するか、机上等に置いて使用する。
【００１２】
なお、情報処理装置１の外面にはディスプレイ４０にカメラ、スピーカー、ＬＥＤ（Light Emitting Diode）、ハードボタンなどが配置されているが、便宜上、図１ではそのような部材の図示を省略している。
【００１３】
図２は、本発明の一実施形態に係る情報処理装置のブロック図である。情報処理装置１は、制御ユニット１０、メモリー２０、カメラ３０、ディスプレイ４０、ネットワークインターフェイス５０、マイクロフォン６０、及びスピーカー７０を備える。これら要素はバス８０に接続されている。
【００１４】
メモリー２０は、制御ユニット１０で実行されるコンピュータープログラムや長期間保存すべきデータや電子ファイルなどを格納したり、制御ユニット１０で処理されるデータを一時的に保存したりする。メモリー２０は、例えば、ＳＲＡＭ（Static Random Access Memory）やフラッシュメモリーなどの不揮発性メモリーで構成される。
【００１５】
カメラ３０は、図略の光学系及びＣＭＯＳイメージセンサーなどを備え、光学系が捉えた光学像をイメージセンサーで光電変換して画像データを生成する。
【００１６】
ディスプレイ４０は、液晶ディスプレイや有機ＥＬディスプレイなどで構成され、カメラ３０で撮像された画像や制御ユニット１０で処理されたテキストデータや画像などを表示する。特にディスプレイ４０はタッチパネル機能を有しており、ユーザーはディスプレイ４０に表示されたボタンやアイコンをタッチ操作したり、ディスプレイ４０の表示画面をスワイプ操作やフリック操作したりすると、当該操作がタッチパネル機能により制御ユニット１０の制御部１００に送出される。例えば、制御ユニット１０の制御部１００は、当該操作が示す内容に応じて、情報処理装置１を動作制御する。
【００１７】
ネットワークインターフェイス５０は、無線Ｗｉ−Ｆｉ（登録商標）、ＢＬＵＥＴＯＯＴＨ（登録商標）、セルラー通信などの無線通信インターフェイスである。情報処理装置１は、ネットワークインターフェイス５０を通じてインターネットに接続してクラウドサーバーなどアクセスする。
【００１８】
マイクロフォン６０は、情報処理装置１のユーザーの音声や周囲の音を集音して音声信号を生成する。スピーカー７０は、制御ユニット１０で生成された音声信号を音として出力し、アラーム音を出力する。
【００１９】
制御ユニット１０は、プロセッサー、ＲＡＭ、ＲＯＭ及び専用のハードウェア回路等から構成される。プロセッサーは、例えば、ＣＰＵ、ＭＰＵ、ＡＳＩＣ等である。制御ユニット１０は、例えば、メモリー２０に記憶されている各コンピュータープログラムを実行して、情報処理装置１に様々な機能を実現させる。例えば、制御ユニット１０は、上記コンピュータープログラムの１つである情報処理プログラムを実行して、情報処理装置１に、カメラ３０の撮像画像を処理する装置として機能させることができる。本実施形態では、制御ユニット１０は、情報処理プログラムを実行することで、オブジェクト認識部１０１、情報絞り込み部１０２、絞り込み条件表示部１０３、及びオブジェクト拡大表示部１０４として機能する。
【００２０】
制御部１００は、情報処理装置１の全体的な動作制御を司る。
【００２１】
オブジェクト認識部１０１は、カメラ３０による撮像画像に写ったテーブルオブジェクトを認識する。テーブルオブジェクトとは表形式で表された文字情報を示す画像であり、例えば、ゴミ分別表や時刻表などである。ゴミ分別表や時刻表などの印刷物にＡＲ（Augmented Reality）マーカー又はタグなどの特定のマーカーが付されていれば、オブジェクト認識部１０１は、カメラ３０の撮像画像に写った当該マーカーを既知の方法により検出し、当該マーカーが付された画像をテーブルオブジェクトとして認識する。さらにオブジェクト認識部１０１は、ＯＣＲ（Optical Character Recognition）技術を用いて、テーブルオブジェクトに含まれる文字列を認識する。
【００２２】
なお、印刷物にＡＲマーカーが付されていなくても、オブジェクト認識部１０１は、カメラ３０の撮像画像中の矩形オブジェクトをパターンマッチング技術等により検出して、当該検出した矩形オブジェクトをテーブルオブジェクトとして認識する。
【００２３】
情報絞り込み部１０２は、オブジェクト認識部１０１により認識されたテーブルオブジェクトに含まれる情報を、予め定められた条件で絞り込む。すなわち、情報絞り込み部１０２は、当該絞り込みとして、オブジェクト認識部１０１により認識されたテーブルオブジェクトに含まれる情報のうち、予め定められた条件に該当するもののみを抽出する。予め定められた条件とは、例えば、現在の日時条件（曜日、日付、時間など）や、情報処理装置１についての現在の居場所条件（都道府県、市町村、現在地など）といった、情報処理装置１が置かれた状況を反映した条件である。なお、現在日時は制御ユニット１０が備えるカレンダー機能及び時計機能から取得し、現在の居場所は制御ユニット１０が有するＧＰＳ（Global Positioning System）機能から取得する。
【００２４】
絞り込み条件表示部１０３は、オブジェクト認識部１０１により認識されたテーブルオブジェクトについて複数の絞り込み条件を表す複数のボタンをディスプレイ４０に表示させる。
【００２５】
オブジェクト拡大表示部１０４は、カメラ３０による撮像画像に写ったテーブルオブジェクトにおいて情報絞り込み部１０２により絞り込まれたテーブル部分を拡大してディスプレイ４０に表示させる。すなわち、ユーザーが画像拡大の操作をしなくても、予め定められた条件で絞り込まれた情報がオブジェクト拡大表示部１０４により拡大されてディスプレイ４０に表示される。
【００２６】
ディスプレイ４０に拡大表示されたテーブル部分においてユーザーが任意の情報をタッチ操作すると、タッチパネル機能によりディスプレイ４０における当該タッチ操作の位置が制御ユニット１０に送られる。情報絞り込み部１０２は、ディスプレイ４０において当該タッチ操作の位置が示す領域に表示されている情報を解析し、当該情報が表示されているテーブル部分の抽出を絞り込み条件として、テーブルオブジェクトの絞り込みを行う。この場合、オブジェクト拡大表示部１０４は、カメラ３０による撮像画像に写ったテーブルオブジェクトにおいて情報絞り込み部１０２により抽出された上記情報が表示されているテーブル部分を、ディスプレイ４０に拡大表示する。この拡大表示後、情報絞り込み部１０２及びオブジェクト拡大表示部１０４による上記絞り込み及び拡大表示が更に行われる。これにより、ユーザーはディスプレイ４０に拡大表示されたテーブルオブジェクトの一部を次々とタッチ操作することで、表示されている画像の一部を抽出して拡大表示させることができ、必要とする情報に円滑に辿り着くことが可能になる。
【００２７】
次に、情報処理装置１によるテーブルオブジェクト認識・拡大表示処理について説明する。図３は、情報処理装置１によるテーブルオブジェクト認識・拡大表示処理のフローチャートである。なお、便宜のため、処理対象となるテーブルオブジェクトは図４に示したゴミ分別表であるとして説明する。
【００２８】
まず、情報処理装置１におけるカメラ機能をオンにして、カメラ３０により図４に例を示すゴミ分別表を撮影する。なお、カメラ３０の撮像画像は静止画像及び動画による画像のいずれでもよい。オブジェクト認識部１０１は、カメラ３０による撮像画像を取得する（Ｓ１）。
【００２９】
カメラ３０により撮像画像が取得されると、オブジェクト認識部１０１が当該撮像画像中のＡＲマーカーを認識して、テーブルオブジェクト（ゴミ分別表）を検出して認識する（Ｓ２）。ＡＲマーカーがないマーカーレスの場合には、オブジェクト認識部１０１は、撮像画像中の矩形オブジェクトを検出して、検出した矩形オブジェクトをテーブルオブジェクトとして認識する。
【００３０】
カメラ３０の撮像画像に写ったテーブルオブジェクトが認識されると、絞り込み条件表示部１０３が、オブジェクト認識部１０１により認識されたテーブルオブジェクトについて、複数の絞り込み条件を表す複数のボタンをディスプレイ４０に表示する（Ｓ３）。
【００３１】
図５Ａは、カメラ撮像画像からテーブルオブジェクトが認識されたときの初期画面例を示す図である。例えば、絞り込み条件表示部１０３は、ゴミ分別表における情報の絞り込み条件として、「今日捨てられる物」という条件のボタンＢ１と、「ゴミの分別が知りたい」という条件のボタンＢ２をディスプレイ４０に表示する。
【００３２】
なお、絞り込み条件があらかじめ一つに決まっており、例えば、「今日捨てられる物」のみで絞り込みを行うと決まっている場合は、複数の絞り込み条件を表す複数のボタンを表示するステップＳ３は省略してもよい。
【００３３】
図３へ戻り、初期画面においていずれかのボタンがタッチ操作されると（Ｓ４でＹＥＳ）、情報絞り込み部１０２が、当該タッチ操作されたボタンに対応する絞り込み条件でテーブルオブジェクトに含まれる情報を絞り込む（Ｓ５）。テーブルオブジェクトの情報の絞り込みが行われると、オブジェクト拡大表示部１０４が、当該絞り込まれた情報を含むテーブル部分を拡大してディスプレイ４０に表示する（Ｓ６）。
【００３４】
図５Ｂは、図５Ａの画面例において、あるボタンがタッチ操作されたときのテーブル部分拡大表示の画面例を示す図である。例えば、「今日捨てられるもの」という条件のボタンＢ１がタッチ操作されると、情報絞り込み部１０２は、現在日時をカレンダー機能及び時計機能から取得し、更に現在の居場所をＧＰＳ機能から取得する。そして、情報絞り込み部１０２は、今日が「月曜日」であり、かつ、情報処理装置１の現在位置が「Ｂ地区」である場合、図４に示したゴミ分別表において「月曜日」「Ｂ地区」の条件で情報の絞り込みを行い、その結果、該当するごみ区分として「缶」「不燃ごみ」を抽出する。オブジェクト拡大表示部１０４は、この絞り込みにより得られたごみ区分「缶」「不燃ゴミ」を示すテーブル部分の画像を拡大表示する。拡大率はオブジェクト拡大表示部１０４が自動設定する。
【００３５】
なお、図５Ｂの画面例では絞り込まれた情報のみ（ごみ区分「缶」「不燃ゴミ」のみ）が表示されているが、テーブルオブジェクトに含まれる６つのごみ区分を全て表示するようにしてもよい。ただし、その場合、ディスプレイ４０に表示されるテーブル部分に情報絞り込み部１０２により絞り込まれた情報とそうでない情報とが混在することになるため、オブジェクト拡大表示部１０４は、テーブル部分において情報絞り込み部１０２による絞り込みによるものでない情報（例えば、ごみ区分「可燃ごみ」「ビン」「ペットボトル」「紙／古布類」）については背景色と同化させた色で表示するとよい。これにより、情報絞り込み部１０２により絞り込まれて得られた情報を示す部分が目立つようになり、ユーザーが必要とする情報の視認性が向上する。
【００３６】
図５Ｃは、図５Ａの画面例において別のボタンがタッチ操作されたときのテーブル部分拡大表示の画面例を示す図である。例えば、図５Ａに示す「ゴミの分別が知りたい」という条件のボタンＢ２がタッチ操作されると、情報絞り込み部１０２は、図４に示したゴミ分別表においてごみの区分という条件で情報の絞り込みを行い、その結果、テーブルオブジェクトにおける６つのごみ区分を抽出する。オブジェクト拡大表示部１０４は、こうして抽出した６つのごみ区分を拡大表示する。拡大率はオブジェクト拡大表示部１０４が自動設定する。
【００３７】
図３へ戻り、拡大表示されたテーブル部分において任意の情報がタッチ操作されると（Ｓ７でＹＥＳ）、情報絞り込み部１０２は、当該タッチ操作された情報に対応する絞り込み条件でテーブルオブジェクトをさらに絞り込む（Ｓ５）。そして、オブジェクト拡大表示部１０４は、さらに絞り込まれた情報を含むテーブル部分を拡大表示する（Ｓ６）。
【００３８】
図５Ｄは、図５Ｃの画面例においてある情報がタッチ操作されたときのテーブル部分拡大表示の画面例を示す図である。例えば、図５Ｃの画面例においてごみ区分「紙／古布類」がタッチ操作されると、情報絞り込み部１０２は、テーブルオブジェクトにおけるごみ区分「紙／古布類」について、情報処理装置１の現在位置である地区名「Ｂ地区」で情報をさらに絞り込む。その結果、オブジェクト拡大表示部１０４は、図５Ｄに示したように、「Ｂ地区」の「紙／古布類」のごみ出し日の情報を含むテーブル部分を拡大表示する。
【００３９】
図５Ｅは、図５Ｄの画面例において、ある情報がタッチ操作されたときのテーブル部分拡大表示の画面例を示す図である。例えば、図５Ｄの画面例において曜日「第２金」の画像部分がタッチ操作されると、情報絞り込み部１０２は、テーブルオブジェクトにおける、「第２金」に関連付けられているごみ区分「紙／古布類」について情報をさらに絞り込む。その結果、オブジェクト拡大表示部１０４は、図５Ｅに示したように、ごみ区分「紙／古布類」の主なごみの種類の情報を示す画像を示すテーブル部分を拡大表示する。
【００４０】
図５Ｂ乃至図５Ｅの画面例には、オブジェクト拡大表示部１０４により前表示戻りボタンＢ３及び先頭戻りボタンＢ４が表示される。図３へ戻り、拡大表示されたテーブル部分において前表示戻りボタンがタッチ操作されると（Ｓ７でＮＯ、Ｓ８でＹＥＳ）、オブジェクト拡大表示部１０４は、一つ前に表示したテーブル部分を拡大表示し（Ｓ９）、その後処理はステップＳ７へ戻る。例えば、図５Ｅの画面例において前表示戻りボタンＢ３がタッチ操作されると、オブジェクト拡大表示部１０４により、画面表示は図５Ｄへと戻り、図５Ｄの画面例において前表示戻りボタンＢ３がタッチ操作されると画面表示は図５Ｃへと戻る。また、図５Ｂ及び図５Ｃの画面例において前表示戻りボタンＢ３がタッチ操作されると画面表示は図５Ａへと戻る。
【００４１】
図３へ戻り、拡大表示されたテーブル部分において先頭戻りボタンＢ４がタッチ操作されると（Ｓ８でＮＯ、Ｓ１０でＹＥＳ）、処理はステップＳ３へ戻り、図５Ａに示したような初期画面が表示される。
【００４２】
いずれのボタンもタッチ操作されず、カメラ３０による撮像が継続していれば（Ｓ１０でＮＯ、Ｓ１１でＮＯ）、処理はステップＳ７へ戻り、情報絞り込み部１０２は、いずれかのボタンのタッチ操作を待つ。一方、カメラ３０による撮像が終了すれば（Ｓ１１でＹＥＳ）、テーブルオブジェクトの拡大表示処理は終了する。
【００４３】
以上のように本実施形態に係る情報処理装置１によれば、カメラ３０の撮像画像に写ったテーブルオブジェクトが認識され、その中からユーザーが所望する情報が拡大表示される。これにより、カメラ３０の撮像画像に含まれる多くの情報の中からユーザーが所望する情報を絞り込んで表示することができ、ユーザーの利便性を向上させることができる。
【００４４】
＜その他の変形例＞
【００４５】
上記の実施の形態で説明した情報処理プログラムをコンピューター読み取り可能な非一時的な記録媒体、例えば、ハードディスク、CD-ROM、DVD-ROM、半導体メモリー等に記録されたものとしてもよい。この場合、当該情報処理プログラムを記録したコンピューター読み取り可能な非一時的な記録媒体が、本発明の一実施形態となる。
【００４６】
また、制御部１００、オブジェクト認識部１０１、情報絞り込み部１０２、絞り込み条件表示部１０３、及びオブジェクト拡大表示部１０４は制御ユニット１０で実行されるコンピュータープログラムとして実現される以外にハード回路で構成することも可能である。
【符号の説明】
【００４７】
１      情報処理装置
３０    カメラ
４０    ディスプレイ
１０１  オブジェクト認識部
１０２  情報絞り込み部
１０３  絞り込み条件表示部
１０４  オブジェクト拡大表示部
【図１】
2019020841.tif 000003
【図２】
2019020841.tif 000004
【図３】
2019020841.tif 000005
【図４】
2019020841.tif 000006
【図５Ａ】
2019020841.tif 000007
【図５Ｂ】
2019020841.tif 000008
【図５Ｃ】
2019020841.tif 000009
【図５Ｄ】
2019020841.tif 000010
【図５Ｅ】
2019020841.tif 000011